(57)【要約】【課題】  車両用シート装置において、シートバックの姿勢変更操作の簡便化と操作性の向上を図る。【解決手段】  第１操作部１１の操作によって、起立姿勢にある上記シートバック３を該起立姿勢から倒伏姿勢へ姿勢変更させること、上記第２操作部１２の操作によって、起立姿勢にある上記シートバック３を該起立姿勢から前傾姿勢へ姿勢変更させることに加えて、上記第１操作部１１の操作によって、前傾姿勢にある上記シートバック３を該前傾姿勢から倒伏姿勢へ姿勢変更させ得るようにしているので、例えば、従来のシート装置のように、シートバックを前傾姿勢から倒伏姿勢に姿勢変更する場合に、一旦シートバック３を前傾姿勢から起立姿勢まで引き上げた後、改めてレバー操作によって上記シートバック３を起立姿勢から倒伏姿勢側へ前倒させることなく、前傾姿勢から直ちに倒伏姿勢まで姿勢変更させることができ、シートバック３を前傾姿勢から倒伏姿勢に姿勢変更する場合における操作が簡便化され、その操作性が向上する。【選択図】        図４
2006347407.tif 000002
【特許請求の範囲】
【請求項１】
スライドレール（５）に支持され前後方向にスライド可能とされたシートクッション（２）と該シートクッション（２）の後端部にリクライナ（３３）を介して傾倒可能に枢支されたシートバック（３）を備えるとともに、該シートバック（３）はこれが略起立状態にある起立姿勢と該起立姿勢よりも前傾した前傾姿勢と該前傾姿勢からさらに前傾して上記シートクッション（２）上に倒伏した倒伏姿勢を選択し得るようにした車両用シート装置であって、
選択的に操作される第１操作部（１１）と第２操作部（１２）が備えられるとともに、
上記第１操作部（１１）の操作による起立姿勢にある上記シートバック（３）の倒伏姿勢への姿勢変更と、上記第１操作部（１１）の操作による前傾姿勢にある上記シートバック（３）の倒伏姿勢への姿勢変更と、上記第２操作部（１２）の操作による起立姿勢にある上記シートバック（３）の前傾姿勢への姿勢変更を選択的に可能とする動作機構部（４）が備えられていることを特徴とする車両用シート装置。
【請求項２】
請求項１において、
上記動作機構部（４）が、
上記シートバック（３）側に固定されたベース部材（１５）と、
上記シートクッション（２）側に固定された固定ブラケット（２４）と、
上記ベース部材（１５）と上記固定ブラケット（２４）の間に配置されて回動操作軸（１６）の回動によりロック解除され上記ベース部材（１５）と上記固定ブラケット（２４）の相対回転を許容するリクライナ（３３）と、
上記回動操作軸（１６）に固定されるとともに揺動端には上記第１操作部（１１）に連結された第１ガイドピン（２１）が設けられたロックレバー（１８）と、
上記回動操作軸（１６）が係入される第１ガイド溝（２２）と上記第１ガイドピン（２１）が係入される第２ガイド溝（２３）を備えるとともに上記ベース部材（１５）に設けた第３ガイド溝（２６）に係入し且つ上記第２操作部（１２）に連結された第２ガイドピン（２９）を設けた揺動部材（１７）と、
上記ベース部材（１５）に枢支されるとともにその揺動端が上記第２ガイドピン（２９）を介して上記揺動部材（１７）に連結された回動規制部材（２０）と、
上記回動操作軸（１６）に支承され且つ上記回動規制部材（２０）と上記固定ブラケット（２４）に設けた当接部（３２）とに係合可能な係合部（３６）を備えるとともにスライド操作部材（５２）が連結されたスライド操作部材（１９）とを備えたことを特徴とする車両用シート装置。
【請求項３】
請求項２において、
上記動作機構部（４）は、上記シートバック（３）の起立姿勢において上記第１操作部（１１）が操作されたとき、上記揺動部材（１７）の変位により上記ロックレバー（１８）に設けられた上記第１ガイドピン（２１）を上記第２ガイド溝（２３）と係合させ上記ロックレバー（１８）を回動させて上記リクライナ（３３）をロック解除させるとともに、上記ロックレバー（１８）の変位により上記回動規制部材（２０）を規制解除側へ変位させて上記シートバック（３）の起立姿勢から倒伏姿勢への傾動を許容するように構成されていることを特徴とする車両用シート装置。
【請求項４】
請求項２において、
上記動作機構部（４）は、上記シートバック（３）の前傾姿勢において上記第１操作部（１１）が操作されたとき、上記揺動部材（１７）の変位により上記ロックレバー（１８）に設けられた上記第１ガイドピン（２１）を上記第２ガイド溝（２３）と係合させ上記リクライナ（３３）のロック解除状態を保持するとともに、上記回動規制部材（２０）を規制解除側へ変位させて上記シートバック（３）の前傾姿勢から倒伏姿勢への傾動を許容するように構成されていることを特徴とする車両用シート装置。
【請求項５】
請求項２において、
上記動作機構部（４）は、上記シートバック（３）の起立姿勢において上記第２操作部（１２）が操作されたとき、上記ロックレバー（１８）を回動させて上記リクライナ（３３）をロック解除して上記シートバック（３）の前傾姿勢側への傾動を許容するとともに、該シートバック（３）の傾動に伴って上記回動規制部材（２０）を上記操作部材（１９）の係合部（３６）に係合させて該スライド操作部材（１９）を回動させることで上記スライド操作部材（５２）を介してスライドロックを解除させてシート（１）の前後移動を許容するように構成されていることを特徴とする車両用シート装置。
【請求項６】
請求項２において、
上記動作機構部（４）は、上記シートバック（３）の起立姿勢において上記第１操作部（１１）が操作されたときには上記揺動部材（１７）を変位させ上記ロックレバー（１８）に設けられた上記第１ガイドピン（２１）を上記第２ガイド溝（２３）と係合させることで上記リクライナ（３３）をロック解除することで上記シートバック（３）が起立姿勢からシート後方側へ傾動するのを許容し、上記シートバック（３）の起立姿勢において上記第２操作部（１２）が操作されたときには上記ロックレバー（１８）を回動させ上記リクライナ（３３）をロック解除することで上記シートバック（３）が起立姿勢からシート後方側へ傾動するのを許容するように構成されていることを特徴とする車両用シート装置。
【発明の詳細な説明】
【技術分野】
【０００１】
本願発明は、リクライニング機能とウォークイン機能及びフォールディング機能の三機能を併有した車両用シート装置に関するものである。
【背景技術】
【０００２】
従来から、車両用シート装置においては、リクライニング機能とウォークイン機能及びフォールディング機能を併備することが行なわれている。
【０００３】
ここで、リクライニング機能とは、シートバックを、これが略起立した起立姿勢と該起立姿勢よりシート後方側の所定範囲内で傾倒角度を調整し且つこれを保持し得る機能である。
【０００４】
ウォークイン機能とは、シートバックを起立姿勢からシート前方へ所定角度だけ前傾させるとともに、シート全体をシート前方側へ移動可能とする機能である。
【０００５】
フォールディング機能とは、シートバックを、ウォークイン機能時における前傾角度を越えてさらにこれを前傾させてシートクッション上に折り重ねるように倒伏させ、該シートバックの背面側をテーブル等として利用できるようにする機能である。
【０００６】
ところで、このようにリクライニング機能とウォークイン機能及びフォールディング機能を併備した車両用シート装置としては、例えば、特許文献１に示されるものが知られている。この特許文献１に示されたものは、シートバックの肩部近傍に二つの操作レバーを備え、一方の操作レバーの引張操作によって、リクライニング機能とウォークイン機能を作動させる一方、他方の操作レバーの引張操作によってフォールディング機能を作動させるようになっている。
【０００７】
【特許文献１】特許第３５３２８５５号公報（段落「００３７」、「００３８」。図４、図６、図７及び図１０〜１３）。
【発明の開示】
【発明が解決しようとする課題】
【０００８】
ところが、上掲のシート装置においては、リクライニング機能とウォークイン機能及びフォールディング機能の三つの機能のうち、リクライニング機能とウォークイン機能の二つの機能と、フォールディング機能とがそれぞれ専用の操作レバーを備えた別操作系とされているので、例えば、起立姿勢から倒伏姿勢への姿勢変更、及び起立姿勢からの後傾動作は一方の操作レバーの操作によって実現できるものの、前傾姿勢にあるシートバックをさらに前倒させて倒伏姿勢とする場合には、例え他方の操作レバーを操作しても該シートバックを前傾姿勢から直ちに倒伏姿勢へ傾倒させることはできず、一旦、前傾姿勢から起立姿勢までシートバックを引き起こした後、改めて他方の操作レバーを操作してシートバックを起立姿勢から倒伏姿勢まで倒伏させることが必要である。
【０００９】
ところで、このように前傾姿勢にあるシートバックを該前傾姿勢から倒伏姿勢まで倒伏させる操作は、例えば、
（ａ）車外からシートに乗り込む場合に、先ず、ウォークイン操作によりシートバックを前傾させて足元スペースを確保した後、さらにフォールディング操作により上記シートバックを前傾姿勢から倒伏姿勢へ前傾倒伏させてより大きな乗り込みスペースを確保し、安全且つ容易に乗車したいような場合、
（ｂ）緊急時等において、後席に乗車している人が急いで降車しようとするときに、先ずウォークイン操作により前席のシートバックを前傾させて足元スペースを確保し、その上でさらにフォールディング操作により上記シートバックを前傾姿勢から倒伏姿勢へ前傾倒伏させて大きな降車スペースを確保し、安全且つ迅速に降車したいような場合、
（ｃ）車室後部を荷室として使用する場合で、且つシートバックを前傾させることで荷室スペースの確保が十分と判断したにも拘らず、荷物の積み込みを行なってみるとこれが不十分であり、さらに荷室スペースの拡大を図るべく上記シートバックを倒伏姿勢とする必要が生じる場合など、
など、実際の車両使用上における要求頻度は比較的高いものである。
【００１０】
しかるに、上掲のシート装置では、シートバックを前傾姿勢から直ちに倒伏姿勢へ姿勢変更させることができず、前傾姿勢にあるシートバックを一旦、起立姿勢まで引き起こした後、フォールディング操作を行って上記シートバックを前傾姿勢から倒伏姿勢へ姿勢変更させなければならず、その操作が煩雑で操作性が悪いという問題があった。
【００１１】
そこで、本発明では、前傾姿勢にあるシートバックを一旦起立姿勢まで引き起こすことなく、前傾姿勢から直ちに倒伏姿勢までこれを倒伏させ得るようにし、もってシートバックの姿勢変更操作の簡便化と操作性の向上を図り、延いてはシート装置としての商品価値の向上を図ることを目的としてなされたものである。
【課題を解決するための手段】
【００１２】
本願発明ではかかる課題を解決するための具体的手段として次のような構成を採用している。
【００１３】
本願の第１の発明では、スライドレール５に支持され前後方向にスライド可能とされたシートクッション２と該シートクッション２の後端部にリクライナ３３を介して傾倒可能に枢支されたシートバック３を備えるとともに、該シートバック３はこれが略起立状態にある起立姿勢と該起立姿勢よりも前傾した前傾姿勢と該前傾姿勢からさらに前傾して上記シートクッション２上に倒伏した倒伏姿勢を選択し得るようにした車両用シート装置において、選択的に操作される第１操作部１１と第２操作部１２を備えるとともに、上記第１操作部１１の操作による起立姿勢にある上記シートバック３の倒伏姿勢への姿勢変更と、上記第１操作部１１の操作による前傾姿勢にある上記シートバック３の倒伏姿勢への姿勢変更と、上記第２操作部１２の操作による起立姿勢にある上記シートバック３の前傾姿勢への姿勢変更を選択的に可能とする動作機構部４を備えたことを特徴としている。
【００１４】
本願の第２の発明では、上記第１の発明に係る車両用シート装置において、上記動作機構部４を、上記シートバック３側に固定されたベース部材１５と、上記シートクッション２側に固定された固定ブラケット２４と、上記ベース部材１５と上記固定ブラケット２４の間に配置されて回動操作軸１６の回動によりロック解除され上記ベース部材１５と上記固定ブラケット２４の相対回転を許容するリクライナ３３と、上記回動操作軸１６に固定されるとともに揺動端には上記第１操作部１１に連結された第１ガイドピン２１が設けられたロックレバー１８と、上記回動操作軸１６が係入される第１ガイド溝２２と上記第１ガイドピン２１が係入される第２ガイド溝２３を備えるとともに上記ベース部材１５に設けた第３ガイド溝２６に係入し且つ上記第２操作部１２に連結された第２ガイドピン２９を設けた揺動部材１７と、上記ベース部材１５に枢支されるとともにその揺動端が上記第２ガイドピン２９を介して上記揺動部材１７に連結された回動規制部材２０と、上記回動操作軸１６に支承され且つ上記回動規制部材２０と上記固定ブラケット２４に設けた当接部３２とに係合可能な係合部３６を備えるとともにスライド操作部材５２が連結されたスライド操作部材１９とを備えて構成したことを特徴としている。
【００１５】
本願の第３の発明では、上記第２の発明に係る車両用シート装置において、上記動作機構部４が、上記シートバック３の起立姿勢において上記第１操作部１１が操作されたとき、上記揺動部材１７の変位により上記ロックレバー１８に設けられた上記第１ガイドピン２１を上記第２ガイド溝２３と係合させ上記ロックレバー１８を回動させて上記リクライナ３３をロック解除させるとともに、上記ロックレバー１８の変位により上記回動規制部材２０を規制解除側へ変位させて上記シートバック３の起立姿勢から倒伏姿勢への傾動を許容する構成であることを特徴としている。
【００１６】
本願の第４の発明では、上記第２の発明に係る車両用シート装置において、上記動作機構部４が、上記シートバック３の前傾姿勢において上記第１操作部１１が操作されたとき、上記揺動部材１７の変位により上記ロックレバー１８に設けられた上記第１ガイドピン２１を上記第２ガイド溝２３と係合させ上記リクライナ３３のロック解除状態を保持するとともに、上記回動規制部材２０を規制解除側へ変位させて上記シートバック３の前傾姿勢から倒伏姿勢への傾動を許容する構成であることを特徴としている。
【００１７】
本願の第５の発明では、上記第２の発明に係る車両用シート装置において、上記動作機構部４が、上記シートバック３の起立姿勢において上記第２操作部１２が操作されたとき、上記ロックレバー１８を回動させて上記リクライナ３３をロック解除して上記シートバック３の前傾姿勢側への傾動を許容するとともに、該シートバック３の傾動に伴って上記回動規制部材２０を上記操作部材１９の係合部３６に係合させて該スライド操作部材１９を回動させることで上記スライド操作部材５２を介してスライドロックを解除させてシート１の前後移動を許容する構成であることを特徴としている。
【００１８】
本願の第６の発明では、上記第２の発明に係る車両用シート装置において、上記動作機構部４が、上記シートバック３の起立姿勢において上記第１操作部１１が操作されたときには上記揺動部材１７を変位させ上記ロックレバー１８に設けられた上記第１ガイドピン２１を上記第２ガイド溝２３と係合させることで上記リクライナ３３をロック解除することで上記シートバック３が起立姿勢からシート後方側へ傾動するのを許容し、上記シートバック３の起立姿勢において上記第２操作部１２が操作されたときには上記ロックレバー１８を回動させ上記リクライナ３３をロック解除することで上記シートバック３が起立姿勢からシート後方側へ傾動するのを許容する構成であることを特徴としている。
【発明の効果】
【００１９】
本願発明に係る車両用シート装置によれば、上記第１操作部１１の操作によって、起立姿勢にある上記シートバック３を該起立姿勢から倒伏姿勢へ姿勢変更させること、上記第２操作部１２の操作によって、起立姿勢にある上記シートバック３を該起立姿勢から前傾姿勢へ姿勢変更させることに加えて、上記第１操作部１１の操作によって、前傾姿勢にある上記シートバック３を該前傾姿勢から倒伏姿勢へ姿勢変更させ得るようにしているので、例えば、従来のシート装置のように、シートバックを前傾姿勢から倒伏姿勢に姿勢変更する場合に、一旦シートバック３を前傾姿勢から起立姿勢まで引き上げた後、改めてレバー操作によって上記シートバック３を起立姿勢から倒伏姿勢側へ前倒させることなく、前傾姿勢から直ちに倒伏姿勢まで姿勢変更させることができ、シートバック３を前傾姿勢から倒伏姿勢に姿勢変更する場合における操作が簡便化され、その操作性が向上する。
【００２０】
このような操作性の向上によって、例えば、
（イ）  車外からシートに乗り込む場合に、先ず、第２操作部１２を操作してシートバックを前傾させて足元スペースを確保した上で、さらに第１操作部１１を操作して上記シートバックを前傾姿勢から倒伏姿勢へ移動させて大きな乗り込みスペースを確保することができ、車外からシートへの乗り込みを安全且つ容易に行なえる、
（ロ）  緊急時等において、後席に乗車している人が急いで降車しようとするときに、先ずウォークイン操作により前席のシートバックを前傾させて足元スペースを確保したのち、引き続いてフォールディング操作により上記シートバックを前傾姿勢から倒伏姿勢へ前傾倒伏させて大きな降車スペースを確保することができ、緊急時等における安全且つ迅速な降車が実現される、
（ハ）  シートバックを前傾させてその後方を荷室スペースとして利用する場合、シートバック３を起立姿勢から前傾姿勢に姿勢変更した状態では荷室スペースが十分でないときには、さらにシートバック３を前傾姿勢から倒伏姿勢へ姿勢変更することで荷室スペースの更なる拡大が図れ、しかもこのようなシートバック３を倒伏姿勢に設定することによる荷室スペースの更なる拡大が、シートバック３の姿勢を起立姿勢から前傾姿勢、さらに前傾姿勢から倒伏姿勢へと連続的に変更することで達成されることから、例えば、従来のように前傾姿勢から倒伏姿勢への姿勢変更に際して、一旦前傾姿勢から起立姿勢に引き戻す必要がある場合に比して、操作の簡易且つ迅速化が図れる、
等の有用な効果が得られるものである。
【発明を実施するための最良の形態】
【００２１】
以下、本願発明を好適な実施形態に基づいて具体的に説明する。
【００２２】
図１〜図３には、本願発明の実施形態に係るシート装置Ｚを示している。このシート装置Ｚは、例えば、車体前後方向にシートを三列に配置した場合の二列目シートとして適用されるものであって、シートクッション２の後端部に動作機構部４を介してシートバック３の下端部を傾倒自在に連結してなるシート１を備えるとともに、上記シートクッション２をスライドレール５（図４参照）により車体床面上に前後方向へスライド自在に取り付けて構成される。
【００２３】
上記シート１は、後述するようにリクライニング機能とウォークイン機能及びフォールディング機能の三つの機能を併有しており、図１に示すように上記シートバック３が略起立した起立姿勢と、図２に示すように上記シートバック３が上記起立姿勢よりもシート前方側へ傾倒した前傾姿勢と、図３に示すように上記シートバック３が上記前傾姿勢よりもさらに前傾して上記シートクッション２の上側に折り重なるように倒伏した倒伏姿勢を選択的に採り得るようになっている。
【００２４】
図１に示す起立姿勢は、通常の着座状態における姿勢であるが、この起立姿勢は固定的な姿勢ではなく、後述する動作機構部４が有するリクライニング機能によって、図１に示す姿勢からさらに後方側へ後傾可能とされるとともに、この後傾範囲内の任意位置において姿勢保持可能とされる。
【００２５】
図２に示す前傾姿勢は、後述する動作機構部４が有するウォークイン機能によって実現される姿勢であって、起立姿勢にあるシートバック３がウォークイン機能の作動によって側起立姿勢から一気に所定角度に前傾された姿勢である。この場合、このシートバック３の前傾動作に連動して上記スライドレール５のロックが解除され、上記シート１は一体としてシート前後方向に移動可能とされる。
【００２６】
図３に示す倒伏姿勢は、後述する動作機構部４が有するフォールディング機能によって実現される姿勢であって、上記シートバック３を上記起立姿勢から倒伏姿勢まで一気に前傾倒伏させる場合と、上記シートバック３を上記起立姿勢から倒伏姿勢まで一気に前傾倒伏させる場合の二つの異なる動作形態を選択可能である。
【００２７】
このような各姿勢の選択は、上記動作機構部４を二つの操作部、即ち、上記シートバック３の肩上面に配置された第１操作部１１と、該シートバック３の側面に配置された第２操作部１２によって操作することで行われるものである。
【００２８】
即ち、リクライニング機能は上記第１操作部１１と第２操作部１２の何れを操作した場合にも作動し、ウォークイン機能は上記第２操作部１２を操作することで作動し、フォールディング機能は上記第１操作部１１を操作することで作動するようになっているが、これら各操作部１１，１２の操作と該操作に伴う上記動作機構部４側の動作については後に詳述する。
【００２９】
ここで、上記動作機構部４の構造及び作動等を、図４〜図６に基づいて説明する。
【００３０】
図４〜図６は、上記シートバック３が起立姿勢にあるときの状態を示している。図４に示すように、上記シート１のシートクッション２は、車体床面上に固定されるロアレール６と該ロアレール６に対して相対摺動自在に嵌挿されたアッパーレール７で構成されるスライドレール５における上記アッパーレール７上に固定されている。また、上記アッパーレール７の後端部にバック取付ブラケット７ａが設けられており、このバック取付ブラケット７ａと上記シートバック３に内蔵されたシートバックフレーム８が次述の動作機構部４を介して連結されることで、上記シートクッション２の後端部において上記シートバック３がシート前後方向に傾倒可能とされている。
【００３１】
上記動作機構部４は、図５及び図６（図４の要部拡大図）に示すように、固定ブラケット２４とベース部材１５とリクライナ３３と揺動部材１７とロックレバー１８とスライド操作部材１９及び回動規制部材２０を備えて構成される。
【００３２】
「固定ブラケット２４」
上記固定ブラケット２４は、上記アッパーレール７のバック取付ブラケット７ａに固定されるものであって、図１２に示すように、略矩形板材の一端寄りに位置する固定部２４ａと他端寄りに位置する本体部２４ｂを備える。また、上記本体部２４ｂには、上記回動操作軸１６が嵌挿配置されるピン穴３１が設けられるとともに、該ピン穴３１から径方向へ所定寸法離間した位置には該本体部２４ｂの一部を裏面側へ向けてＬ形に屈曲して構成された当接部３２が設けられている。さらに、上記本体部２４ｂの表面側の上記ピン穴３１から径方向に離間した位置にはストッパ３９が設けられている。また、上記固定部２４ａには、ケーブル取付ブラケット４５（図６参照）が取付けられる。
【００３３】
上記固定ブラケット２４は、図５及び図６に示すように、上記本体部２４ｂを上方に向けた状態で上記固定部２４ａを上記バック取付ブラケット７ａにボルト締着することで上記アッパーレール７側に固定されている。
【００３４】
「ベース部材１５」
上記ベース部材１５は、上記シートバックフレーム８（図５参照）の下端側部に固定されて上記固定ブラケット２４側との連結部材となるもので、図１１に示すように、縦長で且つその上部側が細幅とされた板材で構成される。このベース部材１５の下端寄り位置には、上記回動操作軸１６が挿通されるピン穴２５が設けられている。また、上記揺動部材２５から上端側へ所定寸法だけ離間した部位には、後述する支点ピン２８が嵌挿されるピン穴２７と、後述する第２ガイドピン２９が係入する縦長で且つ緩やかに弧状に延びるガイド溝２６（以下、「第３ガイド溝２６」という）が、所定間隔をもって併設されている。さらに、これら第３ガイド溝２６とピン穴２７より上側位置には、ケーブル取付ブラケット４４が取付けられている。また、上記ベース部材１５の下端には、バネ掛止部４３が設けられている。
【００３５】
このように構成された上記ベース部材１５は、図５及び図６に示すように、その上部寄り部位の裏面側に、上記シートバック３に内蔵されたシートバックフレーム８の下端側部が固定されることで該シートバックフレーム８と一体化されている。この場合、上記ベース部材１５の下端寄り部位の裏面側は上記シートバックフレーム８と離間しており、該裏面側への他の部材の配置が可能となっている。
【００３６】
「リクライナ３３」
リクライナ３３は、従来周知の構造をもつものであって、図５及び図６に示すように、同軸上に衝合され相対回転可能とされた外ケース３３ａと内ケース３３ｂと、これら両ケース３３ａ，３３ｂ内に収納されたロック機構（図示省略）から該各両ケース３３ａ，３３ｂを貫通して両外方へそれぞれ延出しその回動操作によって上記ロック機構のロック解除を行なう回動操作軸１６を備えて構成される。
【００３７】
このリクライナ３３は、上記外ケース３３ａを上記ベース部材１５側に、上記内ケース３３ｂを上記固定ブラケット２４側にそれぞれ固定することで、該ベース部材１５と固定ブラケット２４の相対回動（延いては、上記シートクッション２とシートバック３の相対回動）に連結する。この場合、上記リクライナ３３の上記回動操作軸１６は、その一端が上記ベース部材１５のピン穴２５を通して該ベース部材１５の裏面側へ、その他端が上記固定ブラケット２４のピン穴３１を通して該固定ブラケット２４の表面側に、それぞれ延出している。尚、上記リクライナ３３は、上記回動操作軸１６の非操作時にはロック状態を保持する一方、該回動操作軸１６がその正面視において反時計回りに回動操作されると、することで、ロック解除を行なうようになっている（このリクライナ３３の作動については後述する。）
「スライド操作部材１９」
上記スライド操作部材１９は、上記シートバック３がウォークイン作動されるとき該シートバック３の傾動操作に連動して回動し、上記スライドレール５のロック機構（図示省略）をロック解除するためのものであって、図１３に示すように、その中心部にピン穴３５を設けた異形の板材で構成される。そして、上記ピン穴３５をその径方向に跨いだ一方側には係合部３６が、他方側にはケーブル取付部３８がそれぞれ設けられるとともに、これらの中間位置にはストッパ３７が設けられている。また、上記係合部３６は、スライド操作部材１９の基板部から立ち上がった壁部で構成され、その両壁面３６ａ、３６ｂがともに当り面として機能するようになっている。さらに、上記係合部３６の後方には、上記ピン穴３５を曲率中心とし上記係合部３６の上端に連続して延びる弧状の係合面４６が設けられている。
【００３８】
上記スライド操作部材１９は、図５及び図６に示すように、上記ピン穴３５を上記回動操作軸１６に嵌挿した状態で、上記固定ブラケット２４の外側に取付けられる。そして、このスライド操作部材１９の上記固定ブラケット２４側への取付け状態においては、図６に示すように、該スライド操作部材１９の回転方向において上記係合部３６が上記固定ブラケット２４側の上記当接部３２と係合可能に対向しており、該スライド操作部材１９が反時計方向へ回動するとき、上記係合部３６が上記固定ブラケット２４側の上記当接部３２に係合するようになっている（図８参照）。尚、上記操作部材１９は、図示しない付勢手段により、常時、反時計回り方向へ回動付勢されている。
【００３９】
また、上記スライド操作部材１９の上記ケーブル取付部３８には、シート１の左右両側にそれぞれ配置された上記スライドレール５のロック機構から延びるワイヤケーブルで構成される二本のスライド操作部材５２、５２の端部が連結されており、上記操作部材１９が反時計回りに回動するとき、上記各スライド操作部材５２、５２が引張され上記スライドレール５のロック機構がそれぞれロック解除されるようになっている。
【００４０】
「回動規制部材２０」
上記回動規制部材２０は、上記操作部材１９の係合部３６との係合によって上記シートバック３の傾動規制を行なうためのものであって、図１４に示すように、所定長さの板材で構成され、その長軸方向の一端側には第２ガイドピン２９が取付けられるとともに、該一端側の端面２０ａを上記操作部材１９の外側当り面３６ａに対する当接部２０ａとしている。一方、上記回動規制部材２０の長軸方向の他端側にはピン穴３０が設けられている。
【００４１】
上記回動規制部材２０は、図５及び図６に示すように、上記ピン穴３０を上記ベース部材１５側の上記ピン穴２７に重合させてここに支点ピン２８を挿通することで、上記ベース部材１５側に取付けられ該支点ピン２８回りに回転自在とされる。また、上記回動規制部材２０の一端側に設けた上記第２ガイドピン２９は、次述の揺動部材１７のピン穴４１（図１６参照）に挿通されこれと連結されるとともに、上記ベース部材１５側の上記第３ガイド溝２６に係入されている。
【００４２】
「ロックレバー１８」
上記ロックレバー１８は、上記リクライナ３３の上記回動操作軸１６に取付けられて該回動操作軸１６を回動させてロック解除を行なうものであって、図１５に示すように、所定長さの板材で構成され、その長軸方向の一端には第１ガイドピン２１が取付けられるとともに、他端にはピン穴４０が形成されている。
【００４３】
上記ロックレバー１８は、図５及び図６に示すように、上記ベース部材１５の裏面側において、該裏面側に突出した上記回動操作軸１６の端部を上記ピン穴４０に挿通させることで該ベース部材１５側に取付けられている。
【００４４】
「揺動部材１７」
上記揺動部材１７は、フォールディング機能を実現するための主たる部材であって、図１６に示すように、略Ｌ形の板材で構成され、その一端側にピン穴４１が設けられるとともに、屈曲部には第１ガイド溝２２が、さらに他端側には略Ｌ形の第２ガイド溝２３が、それぞれ設けられている。さらに、上記ピン穴４１と第１ガイド溝２２の中間位置にはバネ掛止部４２が設けられている。
【００４５】
上記第１ガイド溝２２は、その長軸Ｌｂの中点と上記ピン穴４１の中心を結ぶ直線Ｌａ１と該長軸Ｌｂとが角度αをもち、且つ上記ピン穴４１に近い側の一端２２ａから遠い側の他端２２ｂに向かって上記第２ガイド溝２３に接近する傾斜溝とされている。
【００４６】
上記第２ガイド溝２３は、その一端２３ａと屈曲部２３ｃとの間は略直線状とせれる一方、該屈曲部２３ｃから他端２３ｂの間は上記ピン穴４１を曲率中心とする円弧溝とされている。また、上記一端２３ａと屈曲部２３ｃの間の略直線状部分は、その長軸Ｌｃの中点と上記ピン穴４１の中心を結ぶ直線Ｌａ２と該長軸Ｌｃとが角度βをもち、且つ上記ピン穴４１に近い側の一端２３ａから屈曲部２３ｃに向かって上記第１ガイド溝２２に接近する傾斜溝とされている。
【００４７】
上記揺動部材１７は、図５及び図６に示すように、上記ベース部材１５の裏面側において上記ロックレバー１８の上側に配置される。そして、上記揺動部材１７の上記ピン穴４１には、上記回動規制部材２０側の上記第２ガイドピン２９が嵌挿され、該揺動部材１７は該第２ガイドピン２９を介して上記回動規制部材２０に連結されている。また、上記第１ガイド溝２２に上記回動操作軸１６が係入されるとともに、上記第２ガイド溝２３には上記第１ガイドピン２１が係入されている。
【００４８】
さらに、上記第２ガイドピン２９には、上記第１操作部１１から延びる第１操作ワイヤ１３の端部が連結されている。また、上記第１ガイドピン２１には、係合長穴５４を持つケーブル端部材５３を介して上記第２操作部１２から延びる第２操作ワイヤ１４の端部が連結されている。尚、この場合、上記第１ガイドピン２１は、上記ケーブル端部材５３の下端側に位置しており、上記第２操作部１２の操作によって上記第２操作ワイヤ１４が引かれると、その操作力によって上記ロックレバー１８が反時計回り方向（即ち、ロック解除方向）に作動されるようになっている。
【００４９】
以上が上記動作機構部４を構成する各部材の具体的な構造である。
【００５０】
続いて、上記シート１のシートバック３のリクライニング操作とウォークイン操作及びフォールディング操作を、上記動作機構部４の作動と関連させて説明する。
【００５１】
「リクライニング操作」
リクライニング操作は、上記シート１のシートバック３が起立姿勢に姿勢設定された状態から行なうのを基本とすることから、ここでは、先ず図６を参照して、起立姿勢時における上記動作機構部４における各構成部材の相対位置関係を説明する。
【００５２】
上記シートバック３が起立姿勢にあるときには、上記第１操作部１１及び第２操作部１２は共に操作されていない。従って、上記揺動部材１７は、上記第１操作ワイヤ１３からの引張力が作用していないので下動位置、即ち、上記第１ガイド溝２２の一端２２ａに上記回動操作軸１６が位置している。尚、この状態では、リターンスプリング５１によって上記揺動部材１７が下方に付勢されている。
【００５３】
また、上記第２操作ワイヤ１４からの引張力が作用していないので、上記第１ガイドピン２１は上記揺動部材１７の上記第２ガイド溝２３の屈曲部２３ｃに位置している。このとき、上記第１ガイドピン２１が設けられた上記ロックレバー１８は、回動操作されていない自由状態にあり、上記リクライナ３３はロック状態で保持されている（以下、この状態における上記ロックレバー１８の回動位置を「ロック位置」という）。
【００５４】
上記回動規制部材２０は、その揺動端が上記第２ガイドピン２９を介して上記揺動部材１７に連結されており且つ該揺動部材１７が下動位置に在ることから、下方傾斜状態にあり、該揺動端でなる当接部２０ａは、上記操作部材１９の回動方向においてその係合部３６に係合し得る位置にある（以下、このときの回動規制部材２０の位置を「規制位置」という）。
【００５５】
尚、上記揺動部材１７が上動すると、図１０に示すように、上記回動規制部材２０が上記支点ピン２８を中心として時計回り方向へ回動し、上記当接部２０ａが上記操作部材１９の係合部３６と係合しない位置まで退避するようになっている（以下、このときの回動規制部材２０の位置を「規制解除位置」という）。
【００５６】
一方、上記操作部材１９は、付勢手段により反時計回り方向へ回動付勢されているが、この回動付勢力よりも上記スライド操作部材５２の抵抗力の方が大きいことから、該スライド操作部材５２によって回動規制された状態にある。そして、この場合、上記操作部材１９の上記係合部３６は、上記回動規制部材２０の当接部２０ａから所定角度範囲だけ離間した位置で位置保持されている。また、このとき、上記係合部３６は、上記固定ブラケット２４の上記当接部３２からも所定角度範囲だけ離間した位置にある。
【００５７】
以上のように、上記シートバック３が起立姿勢に設定された状態では、上記第１操作部１１と第２操作部１２がともに非操作状態にあり、該シートバック３は起立姿勢の位置で位置保持されるとともに、上記シート１を支持する上記スライドレール５もロック状態にあって該シート１のシート前後方向への移動が規制されている。
【００５８】
続いて、上記シートバック３が起立姿勢に設定された状態からのリクライニング操作を説明する。
【００５９】
図６に示す起立姿勢において、上記第２操作部１２が操作され上記第２操作ワイヤ１４が引張されると、これを受けて上記ロックレバー１８が反時計回り方向へ回動され（図８参照）、上記リクライナ３３がロック解除される。この場合、上記第１ガイドピン２１は上記揺動部材１７の第２ガイド溝２３内をその屈曲部２３ｃから一端２３ａ側へ遊動し、該揺動部材１７側へは何らの影響も与えない。
【００６０】
従って、この状態で、上記シートバック３を後方側へ所要位置まで後傾させ、ここで上記第２操作部１２の操作を解除することで、上記ロックレバー１８が時計回り方向へ復帰回動し、上記リクライナ３３がその回動位置でロックされ、上記シートバック３の姿勢が保持される。
【００６１】
以上は、上記第２操作部１２によるリクライニング操作であったが、この実施形態では、この第２操作部１２の操作に代えて、上記第１操作部１１によってもリクライニング操作を行なうことができるようになっている。即ち、図６の起立姿勢において、上記第１操作部１１が操作され、上記第１操作ワイヤ１３が引張されると、これを受けて上記揺動部材１７が図６に示す下動位置から上動される（図１０参照）。この揺動部材１７の上動に伴って、該揺動部材１７の上記第２ガイド溝２３と上記ロックレバー１８側の上記第１ガイドピン２１とが係合し、上記ロックレバー１８は図６に示すロック位置から反時計回り方向へ回動され、上記リクライナ３３がロック解除される。後は、上記第２操作部１２による場合と同様にして、上記シートバック３の姿勢変更を行なうことができる。
【００６２】
「ウォークイン操作」
ウォークイン操作は、上記シートバック３が起立姿勢に設定された状態から、上記第２操作部１２を操作して行う。
【００６３】
即ち、上記第２操作部１２が操作され上記第２操作ワイヤ１４が引張されると、これを受けて上記ロックレバー１８が反時計回り方向へ回動され、上記リクライナ３３がロック解除され、上記シートバック３を起立姿勢から前傾させることが許容される。
【００６４】
従って、上記第２操作部１２を操作したまま、上記シートバック３を起立姿勢から前傾させるが、このシートバック３の前傾動作に伴って、これと一体的に上記ベース部材１５が反時計回り方向へ回動し、該ベース部材１５に設けられた上記回動規制部材２０の当接部２０ａがその回動方向前方にある上記操作部材１９の係合部３６に係合し、該スライド操作部材１９を、該係合部３６が上記固定ブラケット２４側の上記当接部３２に当接するまで反時計回り方向へ回動させる。上記シートバック３は、上記操作部材１９の上記係合部３６が上記固定ブラケット２４側の上記当接部３２に当接した時点で、それ以上の前傾動作が規制される。この前傾動作が規制された時点における上記シートバック３の姿勢がウォークイン時の前傾姿勢である。このときの作動状態（上記第２操作部１２の操作が継続されている状態）を図８に示している。
【００６５】
従って、ここで上記第２操作部１２の操作を解除すれば、上記ロックレバー１８に設けた上記第１ガイドピン２１が上記揺動部材１７の上記第２ガイド溝２３内をその一端２３ａから屈曲部２３ｃ側へ移動し、上記ロックレバー１８が時計回り方向へ復帰回動して上記リクライナ３３がその回動位置でロックされる。
【００６６】
また、上記シートバック３が起立姿勢から前傾姿勢側へ傾動する際、上記操作部材１９の回動によって上記ケーブル取付部３８に連結された上記各スライド操作部材５２，５２が引張され、上記スライドレール５がロック解除される。従って、上記スライドレール５のスライド操作、即ち、上記シート１の前後移動が可能となり、スライド用駆動手段が備えられている場合には該駆動手段によって自動的に、該駆動手段が備えられていない場合には手動操作によって、上記シート１をシート前方へ移動させれば良い。以上でウォークイン操作が完了する。
【００６７】
「フォールディング操作」
フォールディング動作形態としては、既述のように、上記シートバック３が起立姿勢に設定された状態からの倒伏と、上記シートバック３が前傾姿勢に設定された状態からの倒伏の二つの形態がある。以下、これらをそれぞれ説明する。
【００６８】
「起立姿勢からのフォールディング操作」
図６に示す起立姿勢の状態において、上記第１操作部１１を操作し上記第１操作ワイヤ１３によって上記揺動部材１７を下動位置から上動位置まで引き上げる。すると、上記揺動部材１７の上動に伴って、上記回動操作軸１６が上記第１ガイド溝２２内をその一端２２ａ側から他端２２ｂ側へ相対移動し、これに伴って上記ロックレバー１８の第１ガイドピン２１は上記第２ガイド溝２３内をその屈曲部２３ｃから他端２３ｂ側へ移動しながら上方へ引き上げられ、上記ロックレバー１８が反時計回り方向へ回動して上記リクライナ３３がロック解除される。
【００６９】
一方、上記揺動部材１７の上動によって、上記回動規制部材２０が規制位置から規制解除位置まで時計回り方向へ回動され、該回動規制部材２０の当接部２０ａは上記操作部材１９の上記係合部３６に対してその回動方向において非係合とされる。従って、この状態から上記シートバック３を前傾させることで、図１０に示すように、上記シートバック３はこれが上記シートクッション２上に折り重なる倒伏姿勢に設定されることになる。
【００７０】
この場合、上記第１操作部１１の操作は、上記シートバック３の前傾に伴って上記回動規制部材２０が上記操作部材１９の上記係合面４６に対応するまで継続すれば良い。これ以降は、上記回動規制部材２０が上記係合面４６上を摺動し上記揺動部材１７が上動位置のまま保持されるので、上記リクライナ３３のロック解除状態が維持され、上記シートバック３の前傾動作が許容される。
【００７１】
尚、このフォールディング操作時には、上記操作部材１９が不作動とされ、上記スライド操作部材５２は引張されないため、上記スライドレール５はロック状態を保持する。
【００７２】
「前傾姿勢からのフォールディング操作」
前傾姿勢からのフォールディング操作は、予めウォークイン操作によって前傾姿勢に設定された上記シートバック３を、さらに前傾させてこれを上記シートクッション２上に倒伏させる際の操作である。
【００７３】
上記シートバック３が前傾姿勢に設定されたときの状態は図８に示す通りである。但し、図８は、前傾姿勢への設定時点の状態を示したものであり、上記第２操作部１２が操作され上記ロックレバー１８がロック解除位置に設定されているが、上述のように、前傾姿勢への設定後は上記第２操作部１２の操作は解除される。従って、フォールディング操作開始時点においては、既に上記第２操作部１２の操作は解除されており、上記ロックレバー１８は図６に示すようなロック位置にあって、上記第１ガイドピン２１は上記第２ガイド溝２３の屈曲部２３ｃに対応している。ここでは、図８を参照するものの、上記ロックレバー１８については、これがロック位置に在るものとして説明する。
【００７４】
上記シートバック３が前傾姿勢に設定されている状態において、上記第１操作部１１を操作し上記第１操作ワイヤ１３によって上記揺動部材１７を下動位置から上動位置まで引き上げる。すると、上記揺動部材１７の上動に伴って、上記回動操作軸１６が上記第１ガイド溝２２内をその一端２２ａ側から他端２２ｂ側へ相対移動し、これに伴って上記ロックレバー１８の第１ガイドピン２１は上記第２ガイド溝２３内をその屈曲部２３ｃから他端２３ｂ側へ移動しながら上方へ引き上げられ、上記ロックレバー１８が反時計回り方向へ回動して上記リクライナ３３がロック解除される。
【００７５】
一方、上記揺動部材１７の上動によって、上記回動規制部材２０が規制位置から規制解除位置まで時計回り方向へ回動され、該回動規制部材２０の当接部２０ａは上記操作部材１９の上記係合部３６に対してその回動方向において非係合とされる。従って、この状態から上記シートバック３を前傾させることで、図１０に示すように、上記シートバック３はこれが上記シートクッション２上に折り重なる倒伏姿勢に設定される。
【００７６】
以上のように、この実施形態のシート装置Ｚにおいては、上記第１操作部１１の操作によって、起立姿勢にある上記シートバック３を該起立姿勢から倒伏姿勢へ姿勢変更させることと、傾姿勢にある上記シートバック３を該前傾姿勢から倒伏姿勢へ姿勢変更させることを可能としているので、例えば、従来のシート装置のように、シートバックを前傾姿勢から倒伏姿勢に姿勢変更する場合に、一旦シートバック３を前傾姿勢から起立姿勢まで引き上げた後、改めてレバー操作によって上記シートバック３を起立姿勢から倒伏姿勢側へ前倒させることなく、前傾姿勢から直ちに倒伏姿勢まで姿勢変更させることができ、シートバック３を前傾姿勢から倒伏姿勢に姿勢変更する場合における操作が簡便化され、その操作性が格段に向上することになる。
【図面の簡単な説明】
【００７７】
【図１】本願発明の実施の形態に係る車両用シート装置の起立姿勢を示す斜視図である。
【図２】本願発明の実施の形態に係る車両用シート装置の前傾姿勢を示す斜視図である。
【図３】本願発明の実施の形態に係る車両用シート装置の倒伏姿勢を示す斜視図である。
【図４】起立姿勢における動作機構部の状態を示すシート幅方向内側からの側面図である。
【図５】図４のＶ−Ｖ矢視図である。
【図６】図４の要部拡大図である。
【図７】本願発明の実施の形態に係る車両用シート装置の前傾姿勢を示す斜視図である。
【図８】前傾姿勢における動作機構部の状態を示すシート幅方向内側からの側面図である。
【図９】本願発明の実施の形態に係る車両用シート装置の倒伏姿勢を示す斜視図である。
【図１０】倒伏姿勢における動作機構部の状態を示すシート幅方向内側からの側面図である。
【図１１】動作機構部の構成部材の一つであるベース部材の正面図である。
【図１２】動作機構部の構成部材の一つである固定ブラケットの正面図である。
【図１３】動作機構部の構成部材の一つである回動部材の正面図である。
【図１４】動作機構部の構成部材の一つであるストッパの正面図である。
【図１５】動作機構部の構成部材の一つであるロック解除レバーの正面図である。
【図１６】動作機構部の構成部材の一つである揺動部材の正面図である。
【符号の説明】
【００７８】
１      ・・シート
２      ・・シートクッション
３      ・・シートバック
４      ・・動作機構部
５      ・・スライドレール
６      ・・ロアレール
７      ・・アッパーレール
８      ・・シートバックフレーム
１０    ・・テーブル部
１１    ・・第１操作部
１２    ・・第２操作部
１３    ・・第１操作ワイヤ
１４    ・・第２操作ワイヤ
１５    ・・ベース部材
１６    ・・回動操作軸
１７    ・・揺動部材
１８    ・・ロックレバー
１９    ・・スライド操作部材
２０    ・・回動規制部材
２１    ・・第１ガイドピン
２２    ・・第１ガイド溝
２３    ・・第２ガイド溝
２４    ・・固定ブラケット
２５    ・・ピン穴
２６    ・・第３ガイド溝
２７    ・・ピン穴
２８    ・・支点ピン
２９    ・・第２ガイドピン
３０    ・・ピン穴
３１    ・・ピン穴
３２    ・・当接部
３３    ・・リクライナ
３５    ・・ピン穴
３６    ・・係合部
３７    ・・ストッパ
３８    ・・ケーブル取付部
３９    ・・ストッパ
４０    ・・ピン穴
４１    ・・ピン穴
４２    ・・バネ掛止部
４３    ・・バネ掛止部
４４    ・・ケーブル取付ブラケット
４５    ・・ケーブル取付ブラケット
４６    ・・係合面
５１    ・・リターンスプリング
５２    ・・スライド操作部材
５３    ・・ケーブル端部材
５４    ・・係合長穴
Ｚ    ・・シート装置
【図１】
2006347407.tif 000003
【図２】
2006347407.tif 000004
【図３】
2006347407.tif 000005
【図４】
2006347407.tif 000006
【図５】
2006347407.tif 000007
【図６】
2006347407.tif 000008
【図７】
2006347407.tif 000009
【図８】
2006347407.tif 000010
【図９】
2006347407.tif 000011
【図１０】
2006347407.tif 000012
【図１１】
2006347407.tif 000013
【図１２】
2006347407.tif 000014
【図１３】
2006347407.tif 000015
【図１４】
2006347407.tif 000016
【図１５】
2006347407.tif 000017
【図１６】
2006347407.tif 000018